(57)【特許請求の範囲】
【請求項１】
小指部、薬指部及び中指部の各甲側と左右両側をきわめて高い伸縮性を示現するツーウェーストレッチ生地によって形成すると共に、これら各指部の掌側を前記ツーウェーストレッチ生地よりは伸縮性に劣るが耐摩耗性に優れる合成皮革、人工皮革又は天然皮革によって形成し、前記各指部の左右両側を形成するツーウェーストレッチ生地と、前記掌側を形成する合成皮革、人工皮革又は天然皮革の接合部を襠片を介さずに直接縫合し、且つ人差し指部の全体を構成する合成皮革、人工皮革又は天然皮革の第２関節相当部付近に斜め上方向に沿って切り込みを設け、当該切り込み部をきわめて高い伸縮性を示現するツーウェーストレッチ生地によって繋いだことを特徴とするゴルフ用手袋。
【請求項２】
小指部、薬指部及び中指部の各甲側と左右両側をきわめて高い伸縮性を示現するツーウェーストレッチ生地によって形成すると共に、これら各指部の掌側を前記ツーウェーストレッチ生地よりは伸縮性に劣るが耐摩耗性に優れる合成皮革、人工皮革又は天然皮革によって形成し、前記各指部の左右両側を形成するツーウェーストレッチ生地と、前記掌側を形成する合成皮革、人工皮革又は天然皮革の接合部を襠片を介さずに直接縫合し、且つ親指部を構成する合成皮革、人工皮革又は天然皮革の第２関節相当部付近に横方向に沿って切り込みを設け、当該切り込み部をきわめて高い伸縮性を示現するツーウェーストレッチ生地によって繋いだことを特徴とするゴルフ用手袋。
【請求項３】
小指部、薬指部及び中指部の各甲側と左右両側をきわめて高い伸縮性を示現するツーウェーストレッチ生地によって形成すると共に、これら各指部の掌側を前記ツーウェーストレッチ生地よりは伸縮性に劣るが耐摩耗性に優れる合成皮革、人工皮革又は天然皮革によって形成し、前記各指部の左右両側を形成するツーウェーストレッチ生地と、前記掌側を形成する合成皮革、人工皮革又は天然皮革の接合部を襠片を介さずに直接縫合し、且つ人差し指部の全体を構成する合成皮革、人工皮革又は天然皮革の第２関節相当部付近に斜め上方向に沿って切り込みを設け、当該切り込み部をきわめて高い伸縮性を示現するツーウェーストレッチ生地によって繋ぐと共に、親指部を構成する合成皮革、人工皮革又は天然皮革の第２関節相当部付近に横方向に沿って切り込みを設け、当該切り込み部をきわめて高い伸縮性を示現するツーウェーストレッチ生地によって繋いだことを特徴とするゴルフ用手袋。
【請求項４】
前記小指部、薬指部及び中指部の甲側と左右両側を形成するツーウェーストレッチ生地の表面にＸ状をなすようにシリコンプリントを施したことを特徴とする請求項１ないし請求項３のいずれか１項に記載のゴルフ用手袋。
【請求項５】
ツーウェーストレッチ生地を主体とした手袋本体の甲側領域の下端部に設けられているゴルファーの手の挿入用開口部に隣接して設けられている面ファスナーの周縁部表面にシリコンプリントによってピリング防止域を形成したことを特徴とする請求項１ないし請求項４のいずれか１項に記載のゴルフ用手袋。
【発明の詳細な説明】
【技術分野】
【０００１】
本発明はゴルファーの素手に密着するように嵌めて的確なスイングを可能にするゴルフ用手袋に係り、特にゴルファーの指の太さに関係なく密着でき、継続使用によってもゴルファーの手にフィットしてストレスを軽減できるように改良したゴルフ用手袋に関するものである。
【背景技術】
【０００２】
ゴルフプレーにおいては、ショットを安定させるため、あるいはクラブとの一体感を得るなどのため、手袋が必須アイテムとなっている。
このゴルフ用手袋は一般カジュアル用あるいは防寒用のものと異なり、きわめて薄い素材を用いてゴルファーの手の掌側領域および甲側領域全体を隙間なく覆うように形成されるもので、右利きプレーヤーの場合は主に左手に手袋を嵌めることにより、当該手袋を介してゴルファーの左手掌側によってクラブのグリップ部が握られることとなる。
【０００３】
このように、ゴルフ用手袋は、各指部を含め手の掌側を覆う掌側部材と、手の甲側を覆う甲側部材とを有し、各指部の縫合に際しては、従来より掌側部材と甲側部材の間にそれぞれ襠片を介在させて立体的に縫い合わせるようにしている。
また、掌側部材及び甲側部材はいずれも耐摩耗性に優れた特性を有する合成皮革、人工皮革又は天然皮革が用いられている。
【０００４】
下記の特許文献１及び特許文献２に前記した従来のゴルフ用手袋が開示されている。
すなわち、特許文献１には、手袋本体をなす縫製前の主要パーツを、ゴルファーの手のひら部及び小指の手のひら側を覆うことができるようになした掌部片と、中指及び薬指の手のひら側を覆う掌部側指片と、親指の掌部側及び甲部側を含む全体を覆う親指片と、人指し指の掌部側及び甲部側を含むと共に、中指、薬指及び小指を含む手の甲部側全体を覆うことができるようになした甲部片と、前記各指の間に位置させる襠片とに分離独立させ、各パーツをそれぞれ定められた縫着ラインに沿って縫着することにより形成されるゴルフ用手袋が開示されており、前記した各パーツはいずれも合成皮革や、人工皮革、羊皮のような天然皮革が用いられる旨記載されている。
【０００５】
また、特許文献２には、手袋本体の甲側領域における人指し指片と中指片の間の基端付近を湾曲状に裁断して切欠部を形成し、当該切欠部を覆うことができる十分な大きさを有する覆い片に連続して人指し指用の襠片と中指用の襠片を設けてなる一体型襠片を用いて甲側領域と掌側領域を縫着するようにしたことを特徴とするゴルフ用手袋が開示されており、手袋本体をなす縫製前の裁断済みボディーの全体は、天然皮革、合成皮革、人工皮革が用いられることが記載されている。
【先行技術文献】
【特許文献】
【０００６】
【特許文献１】特開２００５−１４４０６５号公報
【特許文献２】特開２００６−３３６１３７号公報
【発明の概要】
【発明が解決しようとする課題】
【０００７】
上記特許文献１に開示されたゴルフ用手袋によった場合は、掌部側指片として中指及び薬指のみを他のパーツから分離し、且つ掌部片に小指の手のひら側を覆う小指片を連設するようにしたので、縫着ラインは当該小指片の下端部には及ばず、良好なグリップ感を得ることができるとされている。また、特許文献２に示されたゴルフ用手袋によった場合は、人指し指部と中指部の中間部分に特殊な一体型襠片を用いているので、インターロッキングスタイルのグリップの場合であってもゴルファーの右手小指掌側が縫い目に当たるようなことがなくなり、右手小指の皮膚が剥けるようなトラブルを回避することができるとされている。
【０００８】
しかしながら、前記した従来型ゴルフ用手袋によった場合は、いずれも各指部の間に位置させる襠片はその両端を各指片の甲側と掌側にそれぞれ縫合しなければならず、完成品には各指の側面に二筋の縫い目が現出することとなる。
また、掌側領域および甲側領域の全体は耐摩耗性には優れるが、伸縮性には劣る合成皮革、人工皮革、天然皮革が用いられているため、ゴルファーの指の太さに追随することができず、比較的細い指の場合は、密着感が得られないという問題点があった。また、各指部の側面に二筋の縫い目が現れるため、グリップの際に違和感を生じ、これがストレスとなって正確なショットの妨げになるという問題点があった。
【０００９】
そこで、本発明は、前記した従来のゴルフ用手袋の各種問題点を解消し、ゴルファーの指の太さに関係なく密着でき、継続使用によってもゴルファーの手にフィットして、ストレスを大幅に軽減できるように改良したゴルフ用手袋を提供することを目的とするものである。
【課題を解決するための手段】
【００１０】
上記課題を解決するための本発明の構成を詳述すれば、請求項１に係る発明は、小指部、薬指部及び中指部の各甲側と左右両側をきわめて高い伸縮性を示現するツーウェーストレッチ生地によって形成すると共に、これら各指部の掌側を前記ツーウェーストレッチ生地よりは伸縮性に劣るが耐摩耗性に優れる合成皮革、人工皮革又は天然皮革によって形成し、前記各指部の左右両側を形成するツーウェーストレッチ生地と、前記掌側を形成する合成皮革、人工皮革又は天然皮革の接合部を襠片を介さずに直接縫合し、且つ人差し指部の全体を構成する合成皮革、人工皮革又は天然皮革の第２関節相当部付近に斜め上方向に沿って切り込みを設け、当該切り込み部をきわめて高い伸縮性を示現するツーウェーストレッチ生地によって繋いだことを特徴とするゴルフ用手袋である。
【００１１】
請求項２に係る発明は、小指部、薬指部及び中指部の各甲側と左右両側をきわめて高い伸縮性を示現するツーウェーストレッチ生地によって形成すると共に、これら各指部の掌側を前記ツーウェーストレッチ生地よりは伸縮性に劣るが耐摩耗性に優れる合成皮革、人工皮革又は天然皮革によって形成し、前記各指部の左右両側を形成するツーウェーストレッチ生地と、前記掌側を形成する合成皮革、人工皮革又は天然皮革の接合部を襠片を介さずに直接縫合し、且つ親指部を構成する合成皮革、人工皮革又は天然皮革の第２関節相当部付近に横方向に沿って切り込みを設け、当該切り込み部をきわめて高い伸縮性を示現するツーウェーストレッチ生地によって繋いだことを特徴とするゴルフ用手袋である。
【００１２】
請求項３に係る発明は、小指部、薬指部及び中指部の各甲側と左右両側をきわめて高い伸縮性を示現するツーウェーストレッチ生地によって形成すると共に、これら各指部の掌側を前記ツーウェーストレッチ生地よりは伸縮性に劣るが耐摩耗性に優れる合成皮革、人工皮革又は天然皮革によって形成し、前記各指部の左右両側を形成するツーウェーストレッチ生地と、前記掌側を形成する合成皮革、人工皮革又は天然皮革の接合部を襠片を介さずに直接縫合し、且つ人差し指部の全体を構成する合成皮革、人工皮革又は天然皮革の第２関節相当部付近に斜め上方向に沿って切り込みを設け、当該切り込み部をきわめて高い伸縮性を示現するツーウェーストレッチ生地によって繋ぐと共に、親指部を構成する合成皮革、人工皮革又は天然皮革の第２関節相当部付近に横方向に沿って切り込みを設け、当該切り込み部をきわめて高い伸縮性を示現するツーウェーストレッチ生地によって繋いだことを特徴とするゴルフ用手袋である。
【００１３】
また、請求項４に係る発明は、前記小指部、薬指部及び中指部の甲側と左右両側を形成するツーウェーストレッチ生地の表面にＸ状をなすようにシリコンプリントを施したことを特徴とする請求項１ないし請求項３のいずれか１項に記載のゴルフ用手袋である。
【００１４】
さらに、請求項５に係る発明は、ツーウェーストレッチ生地を主体とした手袋本体の甲側領域の下端部に設けられているゴルファーの手の挿入用開口部に隣接して設けられている面ファスナーの周縁部表面にシリコンプリントによってピリング防止域を形成したことを特徴とする請求項１ないし請求項４のいずれか１項に記載のゴルフ用手袋である。
【発明の効果】
【００１５】
本発明に係るゴルフ用手袋は、小指部、薬指部及び中指部の各甲側と左右両側をきわめて高い伸縮性を示現するツーウェーストレッチ生地によって形成すると共に、これら各指部の掌側を前記ツーウェーストレッチ生地よりは伸縮性に劣るが耐摩耗性に優れる合成皮革、人工皮革又は天然皮革によって形成し、前記各指部の左右両側を形成するツーウェーストレッチ生地と、前記掌側を形成する合成皮革、人工皮革又は天然皮革の接合部を襠片を介さずに直接縫合するようにしたものであるから、ゴルファーの指の太さに関係なくフィットし、しかも襠片を用いていないので縫合箇所を従来より半減でき、縫い目に起因するゴルファーのストレスを軽減させることが可能となる。
【００１６】
請求項１のように、人差し指部の全体を構成する合成皮革、人工皮革又は天然皮革の第２関節相当部付近に斜め上方向に沿って切り込みを設け、当該切り込み部をきわめて高い伸縮性を示現するツーウェーストレッチ生地によって繋ぐようにした場合は、グリップの際に、人差し指の第２関節相当部付近の動きがきわめてスムーズとなり、この点からもゴルファーのストレスを軽減させることができると共に、請求項２のように、親指部を構成する合成皮革、人工皮革又は天然皮革の第２関節相当部付近に横方向に沿って切り込みを設け、当該切り込み部をきわめて高い伸縮性を示現するツーウェーストレッチ生地によって繋いだ場合には、親指の動きもきわめてスムーズなものとなる。請求項３のように、人差し指部と親指部の両方に前記した切り込み部を形成し、当該切り込み部をツーウェーストレッチ生地で繋いだ場合には人差し指と親指の太さに影響されずに良好なフィット感が得られ、両指の動きがスムーズになって確実なグリップを実現することができる。
【００１７】
また、請求項４のように、各指部の甲側と左右両側を形成するツーウェーストレッチ生地の表面にＸ状をなすようにシリコンプリントを施した場合には、グリップの際にツーウェーストレッチ生地が捩れるのを有効に防止することができる。
【００１８】
さらに、請求項５のように、ツーウェーストレッチ生地を主体とした手袋本体の甲側領域の下端部に設けられているゴルファーの手の挿入用開口部に隣接して設けられている面ファスナーの周縁部表面にシリコンプリントによってピリング防止域を形成した場合には、甲側領域を構成するツーウェーストレッチ生地に面ファスナーの雄係着子が引っ掛かるのを防ぐことができる。
【図面の簡単な説明】
【００１９】
【図１】本発明に係るゴルフ用手袋の一実施形態を示す甲側の斜視図である。
【図２】本発明に係るゴルフ用手袋の一実施形態を示す掌側の斜視図である。
【図３】親指側からみた本発明に係るゴルフ用手袋の人指し指の説明図である。
【図４】中指側からみた本発明に係るゴルフ用手袋の人指し指の説明図である。
【図５】中指部、薬指部、小指部の断面状態を示す説明図である。
【発明を実施するための形態】
【００２０】
以下、本発明に係るゴルフ用手袋の具体的構成を図示の実施形態について詳細に説明する。
【００２１】
図中１は手袋本体を示し、２は当該手袋本体１を構成する掌側領域、３は甲側領域をそれぞれ示す。４は前記甲側領域３の下端部に形成されたゴルファーの手の挿入用開口部５を閉じるアジャスター片であり、当該アジャスター片４には雌係着子を付設した面ファスナー６が取付けられており、当該面ファスナー６の雌係着子に係合する雄係着子を付設した面ファスナー７が手袋本体１の挿入用開口部５に隣接して取付けられている。
【００２２】
８は手袋本体１における小指部、９は薬指部、１０は中指部、１１は人差し指部、１２は親指部をそれぞれ示す。
本発明ゴルフ用手袋は、前記小指部８、薬指部９及び中指部１０の各甲側Ｋと左右両側Ｓをきわめて高い伸縮性を示現するツーウェーストレッチ生地１３によって形成すると共に、これら各指部の掌側を前記ツーウェーストレッチ生地１３よりは伸縮性に劣るが耐摩耗性に優れる合成皮革、人工皮革又は羊皮のような天然皮革１４によって形成し、前記各指部８，９，１０の左右両側Ｓを形成するツーウェーストレッチ生地１３と、前記掌側を形成する合成皮革、人工皮革又は天然皮革１４の接合部を襠片を介さずに直接縫合するようにしたものである。
【００２３】
すなわち、ツーウェーストレッチ生地１３はポリウレタン、ポリエステル、ナイロンなどの加工糸を編成したもので縦・横・斜め方向に自由に伸縮が可能であり、これを図５に示すように、小指部８、薬指部９及び中指部１０の各甲側Ｋと左右両側Ｓの構成素材として用いると共に、これら各指部の掌側、すなわち手のひら面のみを耐摩耗性に優れる合成皮革、人工皮革又は天然皮革１４によって形成し、前記各指部の左右両側Ｓを形成するツーウェーストレッチ生地１３の周縁部と、前記掌側を形成する合成皮革、人工皮革又は天然皮革１４の周縁部を縫合糸によって直接縫合することにより、ゴルファーの指の太さに関係なく良好なフィット感を得られるようにしたものである。
【００２４】
なお、前記したツーウェーストレッチ生地１３は伸縮性に富むものの、生地としての安定性が少し劣るという懸念がある。そのため、本発明においては前記各指部８，９，１０の甲側Ｋと左右両側Ｓを形成するツーウェーストレッチ生地１３の表面にＸ状をなすようにシリコンプリント１５を施すようにしたものである。
これにより、前記各指部８，９，１０はスイングの際に捩れることがなくなり、グリップを確実なものにすることができる。
【００２５】
前記したように、小指部８、薬指部９及び中指部１０の各甲側Ｋと左右両側Ｓをきわめて高い伸縮性を示現するツーウェーストレッチ生地１３によって形成するとしても、人差し指部１１に関しては、オーバーラッピンググリップなどの際の摩擦によって素材に負荷が掛かり、部分的に損傷が早まるという懸念がある。
そのため、本発明においては人差し指部１１の構成素材として耐摩耗性に優れると共に、滑り止め効果もある合成皮革、人工皮革又は天然皮革を用いるようにしている。
【００２６】
図示する実施形態では、掌側領域２を構成する掌部全体および各指部８，９，１０の掌側と繋がった合成皮革、人工皮革又は天然皮革１４で人差し指部１１を一体的に構成するようにしている。しかしながら、人差し指部１１の全体を合成皮革、人工皮革又は天然皮革１４で作製すると、グリップの際に第２関節相当部付近の折り曲げがスムーズに行われなくなるという問題点がある。
【００２７】
そのため、本発明においては人差し指部１１の第２関節相当部付近に斜め上方向に沿って切り込みを設け、当該切り込み部１６をきわめて高い伸縮性を示現するツーウェーストレッチ生地１３によって繋ぐようにしたものである。
図示する実施形態の切り込み部１６は図４に示すように中指側において幅広状となっている。なお、このようにすることによってゴルファーの人差し指の太さに関係なくフィット感を得ることが可能となる。
【００２８】
また、親指部１２に関しても、耐摩耗性などを考慮して、本発明においてはその全体を合成皮革、人工皮革又は天然皮革１４をもって構成するようにしているが、そうすると、親指の折り曲げの際、特に第２関節相当部付近の折り曲げがスムーズに行われなくなるおそれがある。
【００２９】
そのため、本発明においては、親指部１２の第２関節相当部付近に横方向に沿って切り込みを設け、当該切り込み部１７をきわめて高い伸縮性を示現するツーウェーストレッチ生地１３によって繋ぐようにしたものである。図示する実施形態の切り込み部１７は、図１に示すように人差し指側に形成されているきわめて大きな切欠部１８に連なるように形成されており、同一のツーウェーストレッチ生地１３によって切り込み部１７および切欠部１８が塞がれるようになっている。
このように、合成皮革、人工皮革又は天然皮革を主体とした素材によって構成された親指部１２にツーウェーストレッチ生地１３が介在することにより、ゴルファーの親指の太さに関係なく良好なフィット感が得られるようになる。
【００３０】
なお、前記したようにゴルファーの手の出し入れをスムーズに行うため、手袋本体１にはその甲側領域３の下端部に手の挿入用開口部５が設けられている。手袋本体１を手に嵌めてから当該挿入用開口部５を閉じるため、挿入用開口部５に隣接してアジャスター片４が取付けられている。このアジャスター片４には、通常の場合、雌係着子を付設した面ファスナー６が取付けられており、当該面ファスナー６の雌係着子に係合する雄係着子を付設した面ファスナー７が手袋本体１の挿入用開口部５の周縁部に取付けられている。
【００３１】
面ファスナー７に植設されている雄係着子は繊維系素材にきわめて絡まり易く、ゴルファーが挿脱を繰り返していると、甲側領域３を構成するツーウェーストレッチ生地１３が、雄係着子に引っ掛かって次第にツーウェーストレッチ生地１３に損傷を与えるようになる。
【００３２】
そのため、本発明においては雄係着子が付設されている面ファスナー７の周辺部を構成するツーウェーストレッチ生地１３の表面にシリコンプリントによってピリング防止域１９、すなわち雄係着子の引っ掛かり防止域を形成するようにしたものである。
これによって、手袋本体１の使用時に生じていた面ファスナー７の周辺部素材との引っ掛かりを有効に防止することができる。
【００３３】
以上のように、本発明ゴルフ用手袋によれば、ゴルファーの指の太さに関係なくフィットし、しかも襠片を用いていないので縫合箇所を従来より半減でき、縫い目に起因するゴルファーのストレスを大幅に軽減させることができるものである。
【符号の説明】
【００３４】
１：手袋本体
２：掌側領域
３：甲側領域
４：アジャスター片
５：挿入用開口部
６：雌係着子を付設した面ファスナー
７：雄係着子を付設した面ファスナー
８：小指部
９：薬指部
１０：中指部
１１：人差し指部
１２：親指部
１３：ツーウェーストレッチ生地
１４：合成皮革、人工皮革又は天然皮革
１５：シリコンプリント
１６：切り込み
１７：切り込み
１８：切欠部
１９：ピリング防止域
Ｋ：小指部、薬指部及び中指部の甲側
Ｓ：小指部、薬指部及び中指部の左右両側
【図１】
0006345017.tif 000002
【図２】
0006345017.tif 000003
【図３】
0006345017.tif 000004
【図４】
0006345017.tif 000005
【図５】
0006345017.tif 000006